【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
１つまたは複数のユーザ機器（ＵＥ）のペイロードのサイズを決定することと、
前記ペイロードの前記サイズに基づいて、前記１つまたは複数のＵＥの前記ペイロードを多重化すべきかどうかを決定することと、
前記１つまたは複数のＵＥの前記ペイロードを多重化するという前記決定に基づいて、リソースの単一のインターレース上で前記ペイロードを送信するために、１つまたは複数のコードあるいは１つまたは複数のサイクリックシフトのうちの少なくとも１つを前記１つまたは複数のＵＥに割り振ることと、
を備える、ワイヤレス通信のための方法。
【請求項２】
前記ペイロードの前記サイズに基づいて、前記ペイロードを多重化すべきかどうかを決定することは、
前記ペイロードの前記サイズが、ペイロードサイズしきい値を満たすかどうかを決定すること
を含む、請求項１に記載の方法。
【請求項３】
前記１つまたは複数のコードあるいは前記１つまたは複数のサイクリックシフトのうちの前記少なくとも１つを前記１つまたは複数のＵＥに割り振ることが、
少なくとも２つのコードまたはサイクリックシフトを使用して、対応するペイロードを送信するために、少なくとも２つのコードまたはサイクリックシフトを前記１つまたは複数のＵＥのうちの単一のＵＥに割り振ること
を含む、請求項１に記載の方法。
【請求項４】
前記ペイロードが、前記１つまたは複数のコードのうちの少なくとも２つのコードを使用して、リソースの前記単一のインターレース上で符号分割多重化される、請求項１に記載の方法。
【請求項５】
前記ペイロードが、前記１つまたは複数のサイクリックシフトのうちの少なくとも２つのサイクリックシフトを使用して、リソースの前記単一のインターレース上で多重化される、請求項１に記載の方法。
【請求項６】
リソースの前記単一のインターレースは、前記１つまたは複数のＵＥのうちの各ＵＥが、前記１つまたは複数のコードあるいは前記１つまたは複数のサイクリックシフトのうちの前記少なくとも１つを使用して、リソースの前記単一のインターレース中でビットを送信することを可能にするように構造化された複数のアップリンクリソースを備える、請求項１に記載の方法。
【請求項７】
前記１つまたは複数のコードが、１つまたは複数のウォルシュコードである、請求項１に記載の方法。
【請求項８】
変調およびコーディング方式（ＭＣＳ）と、前記１つまたは複数のコードあるいは前記１つまたは複数のサイクリックシフトのうちの前記少なくとも１つの総量とに基づいて、トランスポートブロックサイズ（ＴＢＳ）を決定すること
をさらに備える、請求項１に記載の方法。
【請求項９】
リソースの前記単一のインターレースが、物理アップリンク制御チャネル（ＰＵＣＣＨ）フォーマット２を使用して構造化された複数のアップリンクリソースを備え、あるいはリソースの前記単一のインターレースが、物理アップリンク制御チャネル（ＰＵＣＣＨ）フォーマット３を使用して構造化された複数のアップリンクリソースを備え、あるいは前記１つまたは複数のコードあるいは前記１つまたは複数のサイクリックシフトのうちの前記少なくとも１つを前記１つまたは複数のＵＥに割り振ることが、
前記１つまたは複数のＵＥに、無線リソース制御（ＲＲＣ）信号を使用して、リソースの前記単一のインターレース上で前記ペイロードを送信するように命令すること
を備え、あるいは
前記１つまたは複数のコードあるいは前記１つまたは複数のサイクリックシフトのうちの前記少なくとも１つを前記１つまたは複数のＵＥに割り振ることが、
前記１つまたは複数のＵＥに、ダウンリンク許可を使用して、リソースの前記単一のインターレース上で前記ペイロードを送信するように命令すること
を備え、あるいは
前記ペイロードのうちのあるペイロードを送信することに関連する巡回冗長検査（ＣＲＣ）情報が、２４ビットよりも少ないビットの量を含み、あるいは
リソースの前記単一のインターレースが、ライセンスされていないスペクトルのチャネル中に含まれる、
請求項１に記載の方法。
【請求項１０】
第１の送信のために使用される第１のコードまたは第１のサイクリックシフトを決定することと、ここにおいて、前記第１の送信が、リソースのインターレースを使用して送信され、
第２の送信のために、複数の第２のコードまたは複数の第２のサイクリックシフトを１つまたは複数のユーザ機器（ＵＥ）に割り振ることと、ここにおいて、前記第２の送信が、リソースの前記インターレース上で前記第１の送信と多重化され、
を備える、ワイヤレス通信のための方法。
【請求項１１】
前記第２の送信のために、前記複数の第２のコードまたは前記複数の第２のサイクリックシフトを前記１つまたは複数のＵＥに割り振ることが、
前記１つまたは複数のＵＥのうちのＵＥに、リソースの前記インターレース中に含まれるアップリンクリソース上で、物理アップリンク制御チャネル（ＰＵＣＣＨ）情報を送信するように、または物理アップリンク共有チャネル（ＰＵＳＣＨ）を送信するように命令すること
を備え、あるいはリソースの前記インターレースのうちのアップリンクリソースが、ＰＵＣＣＨフォーマット２を使用して構造化され、あるいは、リソースの前記インターレースのうちのアップリンクリソースが、ＰＵＣＣＨフォーマット３を使用して構造化され、あるいは、リソースの前記インターレースが、ライセンスされていないスペクトルのチャネル中に、またはロングタームエボリューション（ＬＴＥ）ネットワークに関連するチャネル中に含まれる、請求項１０に記載の方法。
【請求項１２】
リソースの前記インターレース上でのチャネル占有情報の送信のために、前記第１のコードまたは前記第１のサイクリックシフトを割り振ることと、
前記１つまたは複数のＵＥに、前記第１のコードまたは前記第１のサイクリックシフトを使用して、リソースの前記インターレース上で前記チャネル占有情報を送信するように命令することと
をさらに備える、請求項１０に記載の方法。
【請求項１３】
前記１つまたは複数のＵＥのうちのＵＥに、リソースの前記インターレースのうちのアップリンクリソースの第１のサブセット上でチャネル占有情報を送信するように命令することと、
情報の送信のために、リソースの前記インターレースのうちのアップリンクリソースの第２のサブセットを前記ＵＥに割り振ることと、
をさらに備え、
アップリンクリソースの前記第１のサブセットが、アップリンクリソースの前記第２のサブセットとは異なる、請求項１０に記載の方法。
【請求項１４】
前記ＵＥに、アップリンクリソースの前記第１のサブセット上で前記チャネル占有情報を送信するように命令することが、
前記ＵＥに、前記第１のコードまたは前記第１のサイクリックシフトを使用して、アップリンクリソースの前記第１のサブセット上で前記チャネル占有情報を送信するように命令すること
を備え、あるいは前記ＵＥに、アップリンクリソースの前記第１のサブセット上で前記チャネル占有情報を送信するように命令することは、リソースの前記インターレースを含むチャネルに関連する帯域幅要件が満たされることを引き起こす、請求項１３に記載の方法。
【請求項１５】
ワイヤレス通信のための基地局であって、前記基地局が、請求項１−１４のうちのいずれか一項に記載のステップを実行するように構成された手段を備える、基地局。
【手続補正２】
【補正対象書類名】明細書
【補正対象項目名】０１６９
【補正方法】変更
【補正の内容】
【０１６９】
[0181]本明細書で使用するいかなる要素、行為、または命令も、明示的にそのように説明されない限り、重要または必須と解釈されるべきではない。また、本明細書で使用する冠詞「ａ」および「ａｎ」は、１つまたは複数の項目を含むものであり、「１つまたは複数」と互換的に使用され得る。さらに、本明細書で使用する「セット」という用語は、１つまたは複数の項目（たとえば、関係する項目、無関係の項目、関係する項目と無関係の項目の組合せなど）を含むものであり、「１つまたは複数」と互換的に使用され得る。ただ１つの項目が意図される場合、「１つ（one）」という用語または同様の言い回しが使用される。また、本明細書で使用する「有する（has）」、「有する（have）」「有する（having）」などという用語は、オープンエンド用語であるものとする。さらに、「に基づく」という句は、別段に明記されていない限り、「に少なくとも部分的に基づく」を意味するものである。
以下に本願発明の当初の特許請求の範囲に記載された発明を付記する。
［Ｃ１］
１つまたは複数のユーザ機器（ＵＥ）のペイロードのサイズを決定することと、
前記ペイロードの前記サイズに基づいて、前記１つまたは複数のＵＥの前記ペイロードを多重化すべきかどうかを決定することと、
前記１つまたは複数のＵＥの前記ペイロードを多重化するという前記決定に基づいて、リソースの単一のインターレース上で前記ペイロードを送信するために、１つまたは複数のコードあるいは１つまたは複数のサイクリックシフトのうちの少なくとも１つを前記１つまたは複数のＵＥに割り振ることと、
を備える、ワイヤレス通信のための方法。
［Ｃ２］
前記ペイロードの前記サイズに基づいて、前記ペイロードを多重化すべきかどうかを決定することは、
前記ペイロードの前記サイズが、ペイロードサイズしきい値を満たすかどうかを決定すること
を含む、Ｃ１に記載の方法。
［Ｃ３］
前記１つまたは複数のコードあるいは前記１つまたは複数のサイクリックシフトのうちの前記少なくとも１つを前記１つまたは複数のＵＥに割り振ることが、
少なくとも２つのコードまたはサイクリックシフトを使用して、対応するペイロードを送信するために、少なくとも２つのコードまたはサイクリックシフトを前記１つまたは複数のＵＥのうちの単一のＵＥに割り振ること
を含む、Ｃ１に記載の方法。
［Ｃ４］
前記ペイロードが、前記１つまたは複数のコードのうちの少なくとも２つのコードを使用して、リソースの前記単一のインターレース上で符号分割多重化される、Ｃ１に記載の方法。
［Ｃ５］
前記ペイロードが、前記１つまたは複数のサイクリックシフトのうちの少なくとも２つのサイクリックシフトを使用して、リソースの前記単一のインターレース上で多重化される、Ｃ１に記載の方法。
［Ｃ６］
リソースの前記単一のインターレースは、前記１つまたは複数のＵＥのうちの各ＵＥが、前記１つまたは複数のコードあるいは前記１つまたは複数のサイクリックシフトのうちの前記少なくとも１つを使用して、リソースの前記単一のインターレース中でビットを送信することを可能にするように構造化された複数のアップリンクリソースを備える、Ｃ１に記載の方法。
［Ｃ７］
前記１つまたは複数のコードが、１つまたは複数のウォルシュコードである、Ｃ１に記載の方法。
［Ｃ８］
変調およびコーディング方式（ＭＣＳ）と、前記１つまたは複数のコードあるいは前記１つまたは複数のサイクリックシフトのうちの前記少なくとも１つの総量とに基づいて、トランスポートブロックサイズ（ＴＢＳ）を決定すること
をさらに備える、Ｃ１に記載の方法。
［Ｃ９］
リソースの前記単一のインターレースが、物理アップリンク制御チャネル（ＰＵＣＣＨ）フォーマット２を使用して構造化された複数のアップリンクリソースを備える、Ｃ１に記載の方法。
［Ｃ１０］
リソースの前記単一のインターレースが、物理アップリンク制御チャネル（ＰＵＣＣＨ）フォーマット３を使用して構造化された複数のアップリンクリソースを備える、Ｃ１に記載の方法。
［Ｃ１１］
前記１つまたは複数のコードあるいは前記１つまたは複数のサイクリックシフトのうちの前記少なくとも１つを前記１つまたは複数のＵＥに割り振ることが、
前記１つまたは複数のＵＥに、無線リソース制御（ＲＲＣ）信号を使用して、リソースの前記単一のインターレース上で前記ペイロードを送信するように命令すること
を備える、Ｃ１に記載の方法。
［Ｃ１２］
前記１つまたは複数のコードあるいは前記１つまたは複数のサイクリックシフトのうちの前記少なくとも１つを前記１つまたは複数のＵＥに割り振ることが、
前記１つまたは複数のＵＥに、ダウンリンク許可を使用して、リソースの前記単一のインターレース上で前記ペイロードを送信するように命令すること
を備える、Ｃ１に記載の方法。
［Ｃ１３］
前記ペイロードのうちのあるペイロードを送信することに関連する巡回冗長検査（ＣＲＣ）情報が、２４ビットよりも少ないビットの量を含む、Ｃ１に記載の方法。
［Ｃ１４］
リソースの前記単一のインターレースが、ライセンスされていないスペクトルのチャネル中に含まれる、Ｃ１に記載の方法。
［Ｃ１５］
第１の送信のために使用される第１のコードまたは第１のサイクリックシフトを決定することと、ここにおいて、前記第１の送信が、リソースのインターレースを使用して送信され、
第２の送信のために、複数の第２のコードまたは複数の第２のサイクリックシフトを１つまたは複数のユーザ機器（ＵＥ）に割り振ることと、ここにおいて、前記第２の送信が、リソースの前記インターレース上で前記第１の送信と多重化され、
を備える、ワイヤレス通信のための方法。
［Ｃ１６］
前記第２の送信のために、前記複数の第２のコードまたは前記複数の第２のサイクリックシフトを前記１つまたは複数のＵＥに割り振ることが、
前記１つまたは複数のＵＥのうちのＵＥに、リソースの前記インターレース中に含まれるアップリンクリソース上で、物理アップリンク制御チャネル（ＰＵＣＣＨ）情報を送信するように、または物理アップリンク共有チャネル（ＰＵＳＣＨ）を送信するように命令すること
を備える、Ｃ１５に記載の方法。
［Ｃ１７］
リソースの前記インターレース上でのチャネル占有情報の送信のために、前記第１のコードまたは前記第１のサイクリックシフトを割り振ることと、
前記１つまたは複数のＵＥに、前記第１のコードまたは前記第１のサイクリックシフトを使用して、リソースの前記インターレース上で前記チャネル占有情報を送信するように命令することと
をさらに備える、Ｃ１５に記載の方法。
［Ｃ１８］
前記１つまたは複数のＵＥのうちのＵＥに、リソースの前記インターレースのうちのアップリンクリソースの第１のサブセット上でチャネル占有情報を送信するように命令することと、
情報の送信のために、リソースの前記インターレースのうちのアップリンクリソースの第２のサブセットを前記ＵＥに割り振ることと、
をさらに備え、
アップリンクリソースの前記第１のサブセットが、アップリンクリソースの前記第２のサブセットとは異なる、Ｃ１５に記載の方法。
［Ｃ１９］
前記ＵＥに、アップリンクリソースの前記第１のサブセット上で前記チャネル占有情報を送信するように命令することが、
前記ＵＥに、前記第１のコードまたは前記第１のサイクリックシフトを使用して、アップリンクリソースの前記第１のサブセット上で前記チャネル占有情報を送信するように命令すること
を備える、Ｃ１８に記載の方法。
［Ｃ２０］
前記ＵＥに、アップリンクリソースの前記第１のサブセット上で前記チャネル占有情報を送信するように命令することは、リソースの前記インターレースを含むチャネルに関連する帯域幅要件が満たされることを引き起こす、Ｃ１８に記載の方法。
［Ｃ２１］
リソースの前記インターレースのうちのアップリンクリソースが、ＰＵＣＣＨフォーマット２を使用して構造化される、Ｃ１５に記載の方法。
［Ｃ２２］
リソースの前記インターレースのうちのアップリンクリソースが、ＰＵＣＣＨフォーマット３を使用して構造化される、Ｃ１５に記載の方法。
［Ｃ２３］
リソースの前記インターレースが、ライセンスされていないスペクトルのチャネル中に、またはロングタームエボリューション（ＬＴＥ）ネットワークに関連するチャネル中に含まれる、Ｃ１５に記載の方法。
［Ｃ２４］
ワイヤレス通信のための方法であって、前記方法は、
第１の送信のために、リソースの第１のインターレースを割り振ることと、ここにおいて、前記第１の送信が、ライセンスされていない無線周波数スペクトル帯域を占有するためのものであり、
第２の送信のために、リソースの少なくとも第２のインターレースを割り振ることと、ここにおいて、リソースの前記少なくとも第２のインターレースが、複数の基地局のうちの基地局によって占有され、
を備える、方法。
［Ｃ２５］
リソースの前記少なくとも第２のインターレースを割り振ることは、
リソースのインターレースが、前記複数の基地局のうちの第１の基地局に割り振られたと決定することと、
リソースの別のインターレースを前記複数の基地局のうちの第２の基地局に割り振ることと、リソースの前記別のインターレースが、リソースの前記インターレースとは異なる、
を備える、Ｃ２４に記載の方法。
［Ｃ２６］
ワイヤレス通信のための基地局であって、前記基地局が、
１つまたは複数のユーザ機器（ＵＥ）のペイロードのサイズを決定することと、
前記ペイロードの前記サイズに基づいて、前記１つまたは複数のＵＥの前記ペイロードを多重化すべきかどうかを決定することと、
前記１つまたは複数のＵＥの前記ペイロードを多重化するという前記決定に基づいて、リソースの単一のインターレース上で前記ペイロードを送信するために、１つまたは複数のコードあるいは１つまたは複数のサイクリックシフトのうちの少なくとも１つを前記１つまたは複数のＵＥに割り振ることと、
を行うための１つまたは複数のプロセッサ
を備える、基地局。
［Ｃ２７］
前記１つまたは複数のプロセッサは、前記ペイロードの前記サイズに基づいて、前記ペイロードを多重化すべきかどうかを決定するとき、
前記ペイロードの前記サイズが、ペイロードサイズしきい値を満たすかどうかに基づいて、前記ペイロードを多重化すべきかどうかを決定すること
をさらに行うためのものである、Ｃ２６に記載の基地局。
［Ｃ２８］
前記１つまたは複数のプロセッサが、前記１つまたは複数のコードあるいは前記１つまたは複数のサイクリックシフトのうちの前記少なくとも１つを前記１つまたは複数のＵＥに割り振るとき、
少なくとも２つのコードまたはサイクリックシフトにおいてを使用して、対応するペイロードを送信するために、前記少なくとも２つのコードまたはサイクリックシフトを前記１つまたは複数のＵＥのうちの単一のＵＥに割り振ること
をさらに行うためのものである、Ｃ２６に記載の基地局。
［Ｃ２９］
前記ペイロードが、前記１つまたは複数のコードのうちの少なくとも２つのコードを使用して、リソースの前記単一のインターレース上で符号分割多重化される、Ｃ２６に記載の基地局。
［Ｃ３０］
前記ペイロードが、前記１つまたは複数のサイクリックシフトのうちの少なくとも２つのサイクリックシフトを使用して、リソースの前記単一のインターレース上で多重化される、Ｃ２６に記載の基地局。